(57)【特許請求の範囲】
【請求項１】
音階が異なる多数の鍵を有する電子楽器本体と、多数の鍵に対応する異なる音を発生させる音源装置とが接続されて構成され、
前記電子楽器本体は、音階が異なる多数の鍵を有する鍵盤部の支軸となる支柱と、該支柱の両端に設けられ、支柱が回転自在となる構造を有する掴持部とを備え、前記支柱の柱形の立体面に沿って前記鍵盤部が配置されることを特徴とする電子楽器。
【請求項２】
請求項１記載の電子楽器において、前記支柱が円柱であって、円周の周面に沿って音階が異なる多数の鍵が配置されていることを特徴とする電子楽器。
【請求項３】
請求項２記載の電子楽器において、円柱の周面に沿って音階が異なる多数の鍵が螺旋状に配置されることを特徴とする電子楽器。
【請求項４】
請求項２または３記載の電子楽器において、音階が異なる多数の鍵は円柱の外周の軸方向にオクターブ離れた同一音が配列されることを特徴とする電子楽器。
【請求項５】
請求項２〜４いずれか記載の電子楽器において、音階が異なる多数の鍵は円柱の外周方向に沿って１周が１２鍵となるよう配置されることを特徴とする電子楽器。
【請求項６】
請求項２〜５いずれか記載の電子楽器において、音階が異なる多数の鍵が円柱の外周方向に沿って複数周巻回されることを特徴とする電子楽器。
【請求項７】
音階が異なる多数の鍵を有する電子楽器本体と、多数の鍵に対応する異なる音を発生させる音源装置とが接続されて構成され、
前記電子楽器本体は、音階が異なる多数の鍵を有する鍵盤部の支軸となる支柱と、該支柱の両端に設けられ、支柱が回転自在となる構造を有する掴持部とを備え、前記支柱の柱形の立体面に沿って音階が異なる多数の鍵を有する鍵盤部が２つに分けられ、前記支柱の長手方向の対称位置に配置されるが配置されることを特徴とする電子楽器。
【請求項８】
請求項７記載の電子楽器において、前記支柱は、長手方向の長さを調整する調整機構を備えることを特徴とする電子楽器。
【請求項９】
請求項７または８記載の電子楽器において、音階が異なる多数の鍵は支柱の周方向に沿ってオクターブとなるよう配置され、鍵盤部は支柱の外周の軸方向にオクターブ離れた同一音が配列されるよう螺旋状に配置されることを特徴とする電子楽器。
【請求項１０】
請求項７〜９いずれか記載の電子楽器において、鍵盤部は支柱の周方向に沿って１周が１２鍵となるよう配置され、複数周巻回されることを特徴とする電子楽器。
【請求項１１】
請求項７〜９いずれか記載の電子楽器において、音階が異なる多数の鍵が幹鍵と派生鍵とから構成され、幹鍵が支柱の周方向に沿って１周が７鍵となるように配置されるとともに派生鍵が支柱の軸方向に沿って幹鍵に並置されることを特徴とする電子楽器。
【請求項１２】
請求項７〜１１いずれか記載の電子楽器において、掴持部は支柱の両端部に設けられ、指間に挟持可能となるよう狭持部材が備えられることを特徴とする電子楽器。
【請求項１３】
請求項１〜１２いずれか記載の電子楽器において、音階の異なる多数の鍵がシート状のタッチパネルであって、シートを巻回することにより音階の異なる多数の鍵が立体面に配置されてなることを特徴とする電子楽器。
【請求項１４】
音階の異なる多数の鍵が台形形状のシート状部材の両側辺部に表示され、シート状部材を円筒形状に巻回してシート状部材の巻回方向に沿って音階が異なる多数の鍵が螺旋状に配置されてなる電子楽器用鍵盤の練習具。
【請求項１５】
請求項１４記載の電子楽器用鍵盤の練習具において、音階が異なる多数の鍵は円筒形状に巻回されたシート状部材の外周の前記円筒形状の軸方向にオクターブ離れた同一音が配列されることを特徴とする電子楽器用鍵盤の練習具。
【発明の詳細な説明】
【０００１】
【発明の属する技術分野】
本発明は、電子楽器，特に電子ピアノに関するものである。
【０００２】
【従来の技術】
従来、電子楽器の一種として、例えば図１４に示す電子ピアノ等が知られている。電子ピアノは、複数個の鍵から鍵盤が構成され、この鍵盤を打鍵した場合に各鍵に対応して音を発生させる構成とからなる。通常の鍵盤には黒鍵と白鍵が配置され、１オクターブについて幹音の白鍵７個と、派生音の黒鍵５個とからなり、７オクターブ程度の音階が奏でられる仕組みになっている。例えば、一鍵の白鍵１ａを打鍵すると、『ド』２００１の音階が奏でられる。また、黒鍵３ｂを打鍵すると、『シ♭』２０１１の音階が奏でられる。さらに、白鍵から長手方向に沿って白鍵５ｂを打鍵すると、１オクターブ高い『ド』２０１３の音階が奏でられる。
【０００３】
【発明が解決しようとする課題】
しかしながら、電子ピアノは一般的に人間の肩幅以上に鍵盤が配置される程度の大きさを有しているため、人間が片手で搬送することは出来なかった。
【０００４】
また、電子ピアノはある程度のスペースを有するため、設置場所や演奏場所が制限されていた。
【０００５】
電子ピアノの演奏を自在に行うためには、楽曲の途中で初めの調とは異なる調に移行する転調に対して、黒鍵と白鍵との鍵盤配置を十分理解すると同時に鍵を瞬時に打鍵しなければならなかった。このことは、楽譜に記載された和音等に関しても同様のことがいえる。
【０００６】
本発明は、このような事情に対処してなされたもので、搬送性に富み、コンパクトかつ演奏し易い電子楽器を提供するとともに、場所を問わずに練習可能な練習具も提供することを目的とする。
【０００７】
また、鍵盤から黒鍵／白鍵の区別をなくすことで、和音・転調等の操作が非常に容易で、何人にも簡単かつ自由に演奏できることを目的とする。
【０００８】
さらに、鍵盤から黒鍵／白鍵の区別をなくすことで、楽器・楽曲の難易を問わずに演奏することを目的とする。
【０００９】
【課題を解決するための手段】
上述の課題を考慮して、本発明は以下のような手段を採用する。
【００１０】
すなわち、請求項１では、音階が異なる多数の鍵を有する電子楽器本体と、多数の鍵に対応する異なる音を発生させる音源装置とが接続されて構成され、前記電子楽器本体は、音階が異なる多数の鍵を有する鍵盤部の支軸となる支柱と、該支柱の両端に設けられ、支柱が回転自在となる構造を有する掴持部とを備え、前記支柱の柱形の立体面に沿って前記鍵盤部が配置されることを特徴とする。
【００１１】
請求項２では、請求項１記載の電子楽器において、前記支柱が円柱であって、円周の周面に沿って音階が異なる多数の鍵が配置されていることを特徴とする。
【００１２】
請求項２では、請求項１記載の電子楽器において、立体面が円柱であって、円周の周面に沿って音階が異なる多数の鍵が配置されていることを特徴とする。
【００１３】
この手段では、円柱の周面に沿って音階が異なる多数の鍵を滑らかに弾くことが可能とされる。なお、ここで円柱とは、中実円柱のみならず、中空円柱も含まれる。
【００１４】
請求項３では、請求項２記載の電子楽器において、円柱の周面に沿って音階が異なる多数の鍵が螺旋状に配置されことを特徴とする。
【００１５】
この手段では、音階が異なる多数の鍵が円柱の周面に滑らかに配置される。
【００１６】
請求項４では、請求項２または３記載の電子楽器において、音階が異なる多数の鍵は円柱の外周の軸方向にオクターブ離れた同一音が配列されることを特徴とする。
【００１７】
この手段では、円柱の外周が１周につき１オクターブとなるよう配列される。
【００１８】
請求項５では、請求項２〜４いずれか記載の電子楽器において、音階が異なる多数の鍵は円柱の外周方向に沿って１周が１２鍵となるよう配置されることを特徴とする。
【００１９】
この手段では、円柱の１周において、音階が異なる多数の鍵が従来の黒鍵／白鍵を有する鍵盤と対応可能とされる。
【００２０】
請求項６では、請求項２〜５いずれか記載の電子楽器において、音階が異なる多数の鍵が円柱の外周方向に沿って複数周巻回されることを特徴とする。
【００２１】
この手段では、円柱の外周方向に沿って、複数のオクターブが段差なく巻回されるよう配置される。
【００２２】
請求項７では、電子楽器に関する発明であって、音階が異なる多数の鍵を有する電子楽器本体と、多数の鍵に対応する異なる音を発生させる音源装置とが接続されて構成され、前記電子楽器本体は、音階が異なる多数の鍵を有する鍵盤部の支軸となる支柱と、該支柱の両端に設けられ、支柱が回転自在となる構造を有する掴持部とを備え、前記支柱の柱形の立体面に沿って音階が異なる多数の鍵を有する鍵盤部が２つに分けられ、前記支柱の長手方向の対称位置に配置されるが配置されることを特徴とする。
【００２３】
この手段では、人間の片手による演奏のみならず、両手によって演奏することが可能となるとともに鍵盤部の鍵に対応する音を発生可能とさせる。
【００２４】
請求項８では、請求項７記載の電子楽器において、前記支柱は、長手方向の長さを調整する調整機構を備えることを特徴とする。
【００２５】
この手段では、演奏側のサイズに合わせて支柱の長手方向の長さを調整することが可能である。
【００２６】
請求項９では、請求項７または８記載の電子楽器において、音階が異なる多数の鍵は支柱の周方向に沿ってオクターブとなるよう配置され、鍵盤部は支柱の外周の軸方向にオクターブ離れた同一音が配列されるよう螺旋状に配置されることを特徴とする。
【００２７】
この手段では、複数のオクターブを有する音階が支柱に配置されるとともに、支柱の外周が１周につき１オクターブとなるよう配列される。
【００２８】
請求項１０では、請求項７〜９いずれか記載の電子楽器において、鍵盤部は支柱の周方向に沿って１周が１２鍵となるよう配置され、複数周巻回されることを特徴とする。
【００２９】
この手段では、支柱の周方向に沿って、複数のオクターブが段差なく巻回され、配置される。
【００３０】
請求項１１では、請求項７〜１０いずれか記載の電子楽器において、音階が異なる多数の鍵が幹鍵と派生鍵とから構成され、幹鍵が支柱の周方向に沿って１周が７鍵となるように配置されるとともに派生鍵が支柱の軸方向に沿って幹鍵に並置されることを特徴とする。
【００３１】
この手段では、幹鍵を構成する７鍵と派生鍵を構成する５鍵とが並置されつつ、支柱に巻回される。
【００３２】
請求項１２では、請求項７〜１１いずれか記載の電子楽器において、掴持部は支柱の両端部に設けられ、指間に挟持可能となるよう狭持部材が備えられることを特徴とする。
【００３３】
この手段では、指間に狭持部材を狭持させながら、支柱の回転が可能となる。また、電子楽器の搬送性が向上される。
【００３４】
請求項１３では、請求項１〜１２いずれか記載の電子楽器において、音階の異なる多数の鍵がシート状のタッチパネルであって、シートを巻回することにより音階の異なる多数の鍵が立体面に配置されてなることを特徴とする。
【００３５】
この手段では、平面配置された多数の鍵が立体面上に配置可能となる。場所を問わずに立体配置が可能とされる。
【００３６】
請求項１４では、電子楽器用鍵盤の練習具であって、音階の異なる多数の鍵が台形形状のシート状部材の両側辺部に表示され、シート状部材を円筒形状に巻回してシート状部材の巻回方向に沿って音階が異なる多数の鍵が螺旋状に配置されてなる。
【００３７】
この手段では、シート状部材が筒状に形成され、筒状のシート状部材に螺旋状に音階が異なる鍵が配置される。また、コンパクトに収納される。さらに練習場所が制限されない。
【００３８】
請求項１５では、請求項１４記載の電子楽器用鍵盤の練習具において、音階が異なる多数の鍵は円筒形状に巻回されたシート状部材の外周の前記円筒形状の軸方向にオクターブ離れた同一音が配列されることを特徴とする。
【００３９】
この手段では、シート状部材の外周が１周につき１オクターブとなるよう配列される。
【００４０】
【発明の実施の形態】
本発明の電子楽器の実施の形態（１）について、図面に基づいて説明する。
【００４１】
実施の形態（１）における本発明の電子楽器１０は、音階が異なる多数の鍵を有する電子楽器本体１００と、異なる音を発生させる音源装置１３０とが接続されてなる構成である。
【００４２】
電子楽器本体１００は、支柱１１０と、支柱１１０が回転自在となるように支柱１１０に掴持部１１１とローラ部１１２とを有し、支柱１１０に音階が異なる多数の鍵を有する鍵盤部１２０が対称配置されてなる概略構成である。
【００４３】
支柱１１０は、鍵盤部１２０の支軸となるもので、円柱形状を有するものである。支柱１１０は、中実円柱であり、人６００の肩幅程度の半分の長さを有する。また、人６００が片手で掴むことが出来る程度の径を有する。
【００４４】
掴持部１１１は、支柱１１０の端部に設けられるものであり、実施の形態（１）においては支柱１１０の両端部に設けられている。また掴持部１１１は、支柱１１０が回転自在となる構造であり、例えば軸受構造で構成されるものである。掴持部１１１は、人６００の掌で掴み、挟みながら支柱１１０を支える。さらに掴持部１１１には狭持部材１１４が備えられている。
【００４５】
狭持部材１１４は、掴持部１１１の一側面に固定され、人６００の指間に狭持できる部材である。掴持部１１１を掴んだ際に併せて使用できるよう、掴持部１１１から突出されており、例えばワイヤ等から構成される。
【００４６】
ローラ部１１２は、支柱１１０が回転自在となる構造であり、例えばドーナツ形状を有する。ドーナツ形状の穴部には支柱１１０が挿通される。ローラ部１１２は、支柱１１０の中央部に２つ並設される。
【００４７】
鍵盤部１２０は、音階が異なる多数の鍵であり、有段のキー式で例えば釦形状の鍵１２０１〜１２６４から構成される。実施の形態（１）では鍵盤部１２０は、６４個の鍵１２０１〜１２６４を有し、５オクターブ程度離れた音まで発生できる仕組みである。鍵盤部１２０は、１オクターブが従来の白鍵に相当する７鍵を構成する幹鍵と、従来の黒鍵に相応する５鍵を構成する派生鍵との１２鍵となるよう構成される。鍵盤部１２０は、支柱１１０の外周に複数周回に渡り巻回されて配置されている。
【００４８】
詳しくは鍵盤部１２０は、支柱１１０の周方向に沿って、１周が１オクターブとなるよう配置される。すなわち、図３〜図５に示すように、支柱１１０の１周に『ド』１２０１から『シ』１２１２までの１２鍵から構成されて鍵盤一列１２３が配置されている。
【００４９】
また鍵盤部１２０は、支柱１１０の外周の軸方向にオクターブはなれた同一音が配列されるよう螺旋状に配置されてなる構成である。すなわち、一音階である『ド』１２０１とその１オクターブ高い『ド』１２１３とが、支柱１１０の軸方向に同列配置されてなるよう螺旋状に構成されている。
【００５０】
さらに配線部１２１は、配線コード１２２を有し、電子楽器本体１００と音源装置１３０とを例えば有線方式にて接続するものである。また、図３および図５に示すように、配線部１２１は鍵盤部１２０の内周に設けられた回路部１ａ〜８ｈの配線１２１１を支柱１１０中央部に集合させ、巻回させた束である。
【００５１】
配線コード１２２は、配線部１２１と音源装置１３０とを接続するコードであり、図１および図２に示すように配線コード１２２の長短は自由自在である。
【００５２】
音源装置１３０は、鍵盤部１２０の鍵１２０１〜１２６４の音色を発生させるための装置である。音源装置１３０は、入出力部１３３を備え、スピーカ１３２、増幅回路等が内蔵されている。また音源装置１３０は、配線部１２１の配線コード１２２と入出力部とを接続することで、鍵盤部１２０の鍵１２０１〜１２６４の音色を発生させる。
【００５３】
なお、鍵盤部１２０と支柱１１０とは、支柱１１０の回転と同時に鍵盤部１２０が回転されればよいが、実施の形態（１）では、充填部１１３が介在されている。充填部１１３は、エポキシ系樹脂等の合成樹脂を鍵盤部１２０と支柱１１０間に充填させ、鍵盤部１２０を支柱１１０に固定させている。これにより、支柱１１０の回転と同時に鍵盤部１２０も回転自在となる。
【００５４】
次に、鍵盤部１２０の鍵と音階との対応について、説明する。
【００５５】
図１に示すように、螺旋状に配置された鍵盤部１２０をＢ−Ｂ線から展開した図を図４および図５に示す。
【００５６】
本発明の電子楽器本体１００の鍵盤部１２０は、図４に示すように、『ド』１２０１から『シ』１２１２までの１２鍵を１オクターブとした鍵盤１列１２３の複数列が構成される。図５に示した各々鍵１２０１〜１２６４の白色及び黒色が従来の電子ピアノ２００の黒鍵／白鍵に相当する。
【００５７】
また本発明の電子楽器本体１００の鍵盤部１２０は、オクターブ毎離れた同一音が同列配置されている。支柱の中央部方向に沿って、異なるオクターブでかつ同一音『ド』１２０１、１２１３、１２２５、１２６１が一列配置されている。また、鍵『ド』１２０１を支柱１１０外周方向に３０度ずらした鍵は『ド♯／レ♭』１２０２であるが、同様に異なるオクターブでかつ同一音の鍵１２０２、１２２６、１２６２が一列配置されてなる。
【００５８】
ここで、図１４に示した従来の電子ピアノ２００を黒鍵／白鍵問わずに８音階の鍵を１ブロック１ａ〜８ａとし、６４鍵ある鍵盤を８ブロックに構成する。この８ブロックに分けられた鍵盤と図６に示す鍵盤部１２０の構成回路とが対応する。
【００５９】
図６に示す鍵盤部１２０の構成回路は、図３に示す鍵盤部１２０の内周に設けられた回路部１ａ〜８ｈである。また鍵盤部１２０は、一鍵１ａはスイッチと逆電流防止用のダイオードとから構成される。スイッチが釦形状のキー式の鍵１２０１〜１２６４を押すことでオンとなるようになっている。
【００６０】
ここで、１オクターブを構成する従来の電子ピアノ２００と本発明の電子楽器本体１００の鍵盤対応について説明する。
【００６１】
例えば、図１４に示す従来の電子ピアノ２００における白鍵『ド』２００１は、図６に示す一鍵の回路部１ａ箇所に該当する。そしてこれは、図１および図４、図５に示す本発明の電子楽器本体１００の鍵盤部１２０の鍵１２０１に相当する。
【００６２】
従来の電子ピアノ２００における黒鍵『ド♯／レ♭』２００２は、図６に示す一鍵の回路部２ａ箇所に該当する。そしてこれは、図１および図４、図５に示す本発明の電子楽器本体１００の鍵盤部１２０の鍵１２０２に相当する。
【００６３】
従来の電子ピアノ２００における白鍵『レ』２００３は、図６に示す一鍵の回路部３ａ箇所に該当する。そしてこれは、図１および図４、図５に示す本発明の電子楽器本体１００の鍵盤部１２０の鍵１２０３に相当する。
【００６４】
従来の電子ピアノ２００における黒鍵『レ♯／ミ♭』２００４は、図６に示す一鍵の回路部４ａ箇所に該当する。これは、図１および図４、図５に示す本発明の電子楽器本体１００の鍵盤部１２０の鍵１２０４に相当する。
【００６５】
従来の電子ピアノ２００における白鍵『ミ』２００５は、図６に示す一鍵の回路部５ａ箇所に該当する。これは、図４、図５に示す本発明の電子楽器本体１００の鍵盤部１２０の鍵１２０５に相当する。
【００６６】
従来の電子ピアノ２００における白鍵『ファ』２００６は、図６に示す一鍵の回路部６ａ箇所に該当する。これは、図４、図５に示す本発明の電子楽器本体１００の鍵盤部１２０の鍵１２０６に相当する。
【００６７】
従来の電子ピアノ２００における黒鍵『ファ♯／ソ♭』２００７は、図６に示す一鍵の回路部７ａ箇所に該当する。これは、図４、図５に示す本発明の電子楽器本体１００の鍵盤部１２０の鍵１２０７に相当する。
【００６８】
従来の電子ピアノ２００における白鍵『ソ』２００８は、図６に示す一鍵の回路部８ａ箇所に該当する。これは、図４、図５に示す本発明の電子楽器本体１００の鍵盤部１２０の鍵１２０８に相当する。
【００６９】
従来の電子ピアノ２００における黒鍵『ソ♯／ラ♭』２００９は、図６に示す一鍵の回路部１ｂ箇所に該当する。これは、図４、図５に示す本発明の電子楽器本体１００の鍵盤部１２０の鍵１２０９に相当する。
【００７０】
従来の電子ピアノ２００における白鍵『ラ』２０１０は、図６に示す一鍵の回路部２ｂ箇所に該当する。これは、図４、図５に示す本発明の電子楽器本体１００の鍵盤部１２０の鍵１２１０に相当する。
【００７１】
従来の電子ピアノ２００における黒鍵『ラ♯／シ♭』２０１１は、図６に示す一鍵の回路部３ｂ箇所に該当する。これは、図４、図５に示す本発明の電子楽器本体１００の鍵盤部１２０の鍵１２１１に相当する。
【００７２】
従来の電子ピアノ２００における白鍵『シ』２０１２は、図６に示す一鍵の回路部４ｂ箇所に該当する。これは、図１および図４、図５に示す本発明の電子楽器本体１００の鍵盤部１２０の鍵１２１２に相当する。
【００７３】
さらに従来の電子ピアノ２００において、１オクターブ高い白鍵『ド』２０１３は、一鍵の回路部５ｂ箇所を押圧する。これは、図１および図４、図５に示す本発明の電子楽器本体１００の鍵盤部１２０の鍵１２１３に相当する。
【００７４】
以上により、黒鍵／白鍵問わず演奏でき、また転調等が簡単に操作できる構成となる。
【００７５】
次に、実施の形態（１）の電子楽器本体１００の操作方法について説明する。まず、掴持部１１１を人６００の両手で掴む。このとき、狭持部材１１４を指間に挟ませる。
【００７６】
次に、ローラ部１１２を例えば人６００の膝や腹と接触するよう電子楽器本体１００を配置する。これにより人６００の膝の上で前後方向にローラ部１１２を移動させながら演奏することが可能となる。
【００７７】
掴持部１１１を人６００の両手で掴んだ状態のまま、指先を鍵盤部１２０に配置させ、希望の音階の鍵を押す。さらに、指先で鍵盤部１２０を回転させながら、希望の音と希望のオクターブを適宜選択できる。
【００７８】
実施の形態（１）では、従来の鍵盤では必要とされていた白鍵／黒鍵の区別をすることなく、また１オクターブを支柱外周に配置させることで、支柱を回転させながら、両手による演奏が可能となる。
【００７９】
さらに、場所を問わず演奏ができ、電子楽器の搬送性が向上される。
【００８０】
なお、図７に示すように、鍵盤部１２０は幹鍵と派生鍵とから構成され、幹鍵が支柱の周方向に沿って１周が７鍵となるように配置されるとともに派生鍵が支柱の軸方向に沿って幹鍵に並置されるよう構成しても良い。
【００８１】
上記構成によれば、従来の白鍵を構成する幹鍵と従来の黒鍵を構成する派生鍵とが明確化されるとともに、従来の電子ピアノに比べよりコンパクトに構成される。
【００８２】
なお、実施の形態（１）の鍵盤部では６４鍵としたが、上記鍵数に限定されるものではない。配線部は支柱の中央部に設けたが、支柱端部に設けても良く、実施の形態に限られるものではない。
【００８３】
また、接続方式は、配線部を設け有線にしたが、電子楽器本体と音源装置とに送受信機を設けて、無線による接続方式にしてもよい。
【００８４】
さらに、支柱に調整機構を備えさせ、支柱の長手方向の長さ調整を可能とさせ、演奏側のサイズに合わせるようにしても良い。
【００８５】
以下に、実施の形態（１）の電子楽器を応用した実施の形態（２）〜（４）について説明するが、実施の形態（１）と同様の説明には同一の符号を付し、詳細を省略する。
【００８６】
次に、本発明の実施の形態（２）について図８に基づいて説明する。
【００８７】
実施の形態（２）における本発明の電子楽器１０は、実施の形態（１）で説明した電子楽器本体１００における支柱１１０の中央部に設けられたローラ部１１２を取り除いた構成である。
【００８８】
鍵盤部１２０は、有段のキー式で例えば矩形状の鍵１２０１〜１２６４を有している。また鍵盤部１２０は、実施の形態（１）の鍵盤部１２０の鍵１２０１〜１２６４より鍵間隔が小なる間隔で支柱１１０外周に設けられている。さらに鍵盤部１２０は、実施の形態（１）と同様に、支柱１１０の周方向に沿って、支柱１１０の１周がオクターブとなるよう配置される。
【００８９】
実施の形態（１）では電子楽器本体１００と音源装置１３０とを配線部１２１の配線コード１２２による有線方式を採用していたが、実施の形態（２）では、電子楽器本体１００と音源装置１３０との接続方式が無線方式を採用し音を発生させている。
【００９０】
電子楽器本体１００と音源装置１３０とは送受信機の関係であり、図８に示すように、電子楽器本体１００には、例えば支柱１１０の略中央部に送信機１０２とアンテナ１０１とを設け、音源装置１３０には受信機の機能が果たせるようアンテナ１３１を設け構成されている。
【００９１】
操作方法等は実施の形態（１）と同様である。
【００９２】
実施の形態（２）では、配線部を取り除き、無線によって音階の発生をコントロールするため、より軽量でコンパクトな電子楽器が実現される。
【００９３】
なお、実施の形態（１）および（２）は、電子楽器と音源装置とは別体に記載したが、電子楽器と一体になるよう音源装置を電子楽器の回路内部に設けても良い。
【００９４】
次に、本発明の実施の形態（３）について図９に基づいて説明する。
【００９５】
実施の形態（３）における本発明の電子楽器１０は、音階の異なる多数の鍵を有する鍵盤部１２０がシート状のタッチパネル（無段）であって、シート３００を巻回することにより音階の異なる多数の鍵が立体面に螺旋状に配置されてなる概略構成である。
【００９６】
シート３００は、可曲性を有する部材で、例えばゴム、ナイロンから構成される部材ある。シート３００は、例えば上端部３１４と下端部３１５との幅の長さが異なる台形形状を有しており、タッチパネル式の鍵盤部１２０を少なくとも１オクターブの音階が発生できる程度の長さを有する。実施の形態（３）では、２オクターブの音階を発生させる程度の鍵１２０１、１２０２、１２１２、１２１３がシートの両側辺部３１１に一連に配列されてなる。
【００９７】
また、シート３００の下端部３１５には、鍵盤部１２０と音源装置（図省略）とが無線によって音階の音色を発生させるための発振部３１２が内蔵されている。さらに、シート３００には止め部３１３が備えられている。
【００９８】
鍵盤部１２０は、無段のタッチパネル式の鍵から構成される。例えば鍵には、圧力素子、感圧素子等を使用して、人間の押圧力等の圧力変化によって異なる音階の強弱が調整できるよう構成される。
【００９９】
止め部３１３は、鍵盤部１２０を螺旋状に保持させるためのものであり、例えば、粘着力を有したテープから構成される。
【０１００】
上記から構成されるシート３００の使用方法の一例としては、人６００の腕に巻回させる方法がある。これによれば、簡単に片手で演奏を楽しむことができる。また、シート３００があらかじめ台形形状であるので、シート３００の巻回によって容易に音階が異なる多数の鍵が螺旋状に形成され、保持される。
【０１０１】
なお、使用方法は、図中に示す形態に限られず、シートを巻回することができるものであれば良い。
【０１０２】
実施の形態（３）では、シートを巻回する際の巻回部材等を問わず、また両手・片手を問わず演奏ができる。
【０１０３】
次に、本発明の実施の形態（４）について図１０に基づいて説明する。
【０１０４】
実施の形態（４）における本発明の電子楽器１０は、立体面４０１に沿って音階の異なる多数の鍵を有する鍵盤部１２０が螺旋状に配置され、立体面４０１の一部から配線または無線により音源装置（図省略）と接続されてなる概略構成である。
【０１０５】
立体面４０１は、音階の異なる多数の鍵を有する鍵盤部１２０が立体面４０１に沿って少なくとも１オクターブ分の鍵１２０１〜１２１２が配置される程度の立体面４０１で良い。実施の形態（４）では、多角柱、詳しくは図１０に示すような、八角柱４００の面に沿って音階の異なる多数の鍵を有する鍵盤部１２０が配置されている。八角柱４００の側面の縦方向の幅Ｗ＋αと横方向の幅Ｗは異なるものを適用した。
【０１０６】
実施の形態（４）では、立体面において音階が異なる多数の鍵を演奏することが可能とされる。
【０１０７】
なお、実施の形態（４）に示した鍵は、有段のキー式であるが、無段のタッチパネル式でもよい。
【０１０８】
次に、本発明の実施の形態（５）について図面に基づいて説明する。
【０１０９】
実施の形態（５）における本発明の電子楽器用鍵盤の練習具５００は、音階の異なる多数の鍵を有する鍵盤部１２０がシート状部材５１０に表示され、シート状部材５１０の巻回方向に沿って音階が異なる多数の鍵を有する鍵盤部１２０が螺旋状にされてなる概略構成である。
【０１１０】
また、音階が異なる多数の鍵は巻回されたシート状部材５１０の外周の軸方向にオクターブ離れた同一音が配列されてなる。
【０１１１】
シート状部材５１０は、例えば紙等の肉薄な部材で、例えば上端部の幅Ｗ１と下端部の幅Ｗ２との長さの異なる台形形状から構成される。
【０１１２】
シート状部材５１０上の鍵１２０１〜１２０３、１２２２、１２２３配置は、発振部を除いた実施の形態（３）と同様なので説明は省略する。またシート状部材５１０には、止め部材５１１が備えられている。
【０１１３】
止め部材５１１は、シート状部材５１０を巻回した際に鍵を螺旋状に保持する部材であり、例えばヘアピン等が適用される。
【０１１４】
次に、電子楽器用鍵盤の練習具５００における使用方法を説明する。
シート状部材５１０の両側辺部５１２に表示された鍵盤のいずれか一方を選択し、図１２に示すようにシート状部材５１０を巻回させていく。
【０１１５】
さらに図１３に示すように、音階が異なる多数の鍵がシート状部材５１０の外周の軸方向にオクターブ離れた同一音が配列された箇所で、止め部材５１１によって保持する。
【０１１６】
シート状部材５１０があらかじめ台形形状であるので、シート状部材５１０の巻回によって容易に音階が異なる多数の鍵が螺旋状に形成され、保持される。
【０１１７】
実施の形態（５）では、シート状部材の巻回によって、音階が異なる多数の鍵が螺旋状に保持されるので、上述した本発明における電子楽器と同様の構造を有することが可能となる。
【０１１８】
次に本発明の電子楽器について実施例を用いて説明する。
【０１１９】
【実施例】
実施の形態（１）の電子楽器１０において、支柱１１０には、径約１ｃｍ、長さ２２ｃｍの金属製の棒状部材を使用した。掴持部１１１には、軸受構造を有した径約２．５ｃｍのベアリングを使用した。狭持部材１１４として、金属製の止め具であるヘアピンを使用した。ローラ部１１２は径約８ｃｍのプラスチック製を使用した。充填材１１３には、エポキシ系樹脂であるボンドを使用した。鍵盤部１２０の鍵１２０１〜１２６４には、釦形状のキー式を使用した。上記電子楽器１０は、配線コード１２２を介して、音源装置１３０に接続した。
【０１２０】
上記構成の電子楽器により、掴持部と狭持部材により人間の両手で支柱を狭持できるコンパクト構造であるとともに、鍵盤部が支柱の回転とともに回転し、一鍵が押鍵し易い。
【０１２１】
演奏に関しては、掴持部を掴みながらも、転調が非常に簡単にでき、和音も視覚的に認識できる。
【０１２２】
【本発明の効果】
以上のように、本発明の電子楽器は、搬送性に富み、コンパクトかつ演奏し易い電子楽器であるという効果も有する。
【０１２３】
また、和音・転調等の操作が非常に容易で、何人にも簡単かつ自由に演奏できるという非常に優れた効果を有する。
【０１２４】
さらに、鍵盤から黒鍵／白鍵の区別をなくすことで、楽器・楽曲の難易を問わずに演奏できるという優れた効果も有する。
【０１２５】
また、本発明の電子楽器用鍵盤の練習具は、本発明の電子楽器の鍵盤を正確に再現でき、場所や時間帯等を問わずに練習可能であるという優れた効果を有する。
【図面の簡単な説明】
【図１】  本発明の実施の形態（１）の電子楽器の斜視図である。
【図２】  本発明の実施の形態（１）の電子楽器の斜視図である。
【図３】  図１の電子楽器において、Ａ方向からの側面図である。
【図４】  図１の電子楽器において、Ｂ−Ｂ線から鍵盤部を展開させた展開図である。
【図５】  図１の電子楽器において、Ｂ−Ｂ線から鍵盤部を展開させた展開図である。
【図６】  本発明の実施の形態（１）の電子楽器の鍵盤部の回路構成図である。
【図７】  本発明の実施の形態（１）の電子楽器の鍵盤部における別形態の展開図である。
【図８】  本発明の実施の形態（２）の電子楽器における斜視図である。
【図９】  本発明の実施の形態（３）の電子楽器における斜視図である。
【図１０】本発明の実施の形態（４）の電子楽器における側面図である。
【図１１】本発明の実施の形態（５）の電子楽器用鍵盤の練習具の斜視図である。
【図１２】本発明の実施の形態（５）の電子楽器用鍵盤の練習具の使用方法説明図である。
【図１３】本発明の実施の形態（５）の電子楽器用鍵盤の練習具の使用方法説明図である。
【図１４】従来楽器を示した図である。
【符号の説明】
１０                電子楽器
１００              電子楽器本体
１１０              支柱
１１１              掴持部
１１２              ローラ部
１１３              充填部
１１４              狭持部材
１２０              鍵盤部
１２１              配線部
１２２              配線コード
１２３              鍵盤１列
１２０１〜１２６４  鍵
１２４              回路部
１３０              音源装置
１０１、１３１      アンテナ
１３２              スピーカ
１３３              入出力部
２００              従来電子ピアノ
２００１、２０１３  音階名ド
２０１１            音階名シ♭
３００              シート
３１１              両側辺部
３１２              発振部
３１３              止め部
４００              八角柱
４０１              立体面
Ｗ＋α              縦方向
Ｗ                  横方向
５００              電子楽器用鍵盤の練習具
５１０              シート状部材
５１１              止め部材
６００              人
【図１】
0003936209.tif 000002
【図２】
0003936209.tif 000003
【図３】
0003936209.tif 000004
【図４】
0003936209.tif 000005
【図５】
0003936209.tif 000006
【図６】
0003936209.tif 000007
【図７】
0003936209.tif 000008
【図８】
0003936209.tif 000009
【図９】
0003936209.tif 000010
【図１０】
0003936209.tif 000011
【図１１】
0003936209.tif 000012
【図１２】
0003936209.tif 000013
【図１３】
0003936209.tif 000014
【図１４】
0003936209.tif 000015